(57)【要約】【課題】感光性記録媒体用カートリッジの側面に侵入する光を完全に遮断できる感光性記録媒体用記録再生装置を提供する。【解決手段】カートリッジ本体と前記カートリッジ本体の外側に取り付けられたシャッタとを有し挿入方向先端の横幅が先細に形成されて成る感光性記録媒体用カートリッジを内部に収容して記録再生するための装置であって、挿入口が形成された筐体と、前記挿入口を遮光する挿入口フタと、前記挿入口近傍に設けられ前記挿入口から挿入されたカートリッジを筐体内に案内するカートリッジガイドと、を有する記録再生装置において、前記カートリッジガイドを前記カートリッジガイドの両側面に接触する可動部材と前記可動部材を出没自在に収納する収納部材とから成るガイド部材の２本で構成した。【選択図】図１
2007102874.tif 000002
【特許請求の範囲】
【請求項１】
感光性記録媒体を回転自在に収容すると共に前記感光性記録媒体の中心と記録面とを外部に露呈させる開口を有するカートリッジ本体と前記カートリッジ本体の外側に取り付けられて前記開口を閉じる閉じ位置と前記開口を開放する開き位置との間で移動自在に配設されたシャッタとを有し挿入方向先端の横幅が先細に形成されて成る感光性記録媒体用カートリッジを内部に収容して記録再生するための装置であって、挿入可能な挿入口が形成された内部空間を有する筐体と、前記筐体に設けられ前記挿入口を外部から遮光する挿入口フタと、前記挿入口近傍に設けられ前記挿入口から挿入されたカートリッジを筐体内に案内するカートリッジガイドと、を有する記録再生装置において、
前記カートリッジガイドは前記カートリッジガイドの両側面に接触する可動部材と前記可動部材を出没自在に収納する収納部材とから成るガイド部材を、２本、それぞれの可動部材を互いに内側に向けてカートリッジの挿入方向に沿わせ、前記可動部材間の間隔が前記先細カートリッジの前記先端の横幅間隔より広く、前記カートリッジの本来の横幅間隔より狭い範囲で配設して成ることを特徴とする感光性記録媒体用記録再生装置。
【請求項２】
前記カートリッジガイドは前記カートリッジの挿入方向の長さ以上であることを特徴とする請求項１記載の感光性記録媒体用記録再生装置。
【請求項３】
前記カートリッジガイドは、前記カートリッジの挿入方向の長さ以下であり、かつその場合、筐体内の所定位置に収納されたカートリッジの両側面の少なくともその挿入方向後端部に接触する位置に配設されていることを特徴とする請求項１記載の感光性記録媒体用記録再生装置。
【請求項４】
前記カートリッジガイドは、筐体内の所定位置に収納されたカートリッジの両側面の少なくともその挿入方向後端部に接触した状態で、前記カートリッジが上又は下方向に移動することを許容する押圧力であることを特徴とする請求項１記載の感光性記録媒体用記録再生装置。
【請求項５】
前記カートリッジガイドは、上下方向の長さが前記カートリッジが上又は下方向に移動する範囲をカバーするものであることを特徴とする請求項４記載の感光性記録媒体用記録再生装置。
【発明の詳細な説明】
【技術分野】
【０００１】
本発明は、ホログラム記録媒体などの感光性記録媒体用記録再生装置に関し、特に、感光性記録媒体を遮光状態で収容保管するカートリッジに遮光状態でデータを記録し、または記録されたデータを再生する感光性記録媒体用記録再生装置に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
ＣＤ−Ｒ、ＤＶＤ−Ｒ，ＢＤ−Ｒは光で記録するものであるが感光性が低いので、遮光性は不要であった。一方、本発明が対象としているホログラムディスクは感度が高いので、遮光が必要となっている。したがってホログラムディスクは遮光性のシャッタを備えており、したがってこのような遮光性カートリッジを収納する記録再生従来装置にあっても、遮光性に配慮する必要があった。
【０００７】
図１０および図１１は本発明が対象としている記録再生装置の概略構成図である。図１０および図１１に示すように、カートリッジ２を装填して使用される記録再生装置１０は、カートリッジ２を挿入可能な挿入口９１が形成され、外部から遮光された内部空間９２を有する筐体９０を備える。挿入口９１は、ピン９３を中心として回動自在に筐体９０の内部に配設された挿入口シャッタ９４により開閉される。挿入口シャッタ９４は、捩じりコイルばね９６の一端が係止されて挿入口シャッタ９４を閉じる方向に付勢している。挿入口９１には、その開口全周に亘って遮光部材９５が固着されており、挿入口シャッタ９４が閉じられたとき挿入口シャッタ９４と協働して挿入口９１を外部から遮光する。
筐体９０内には、ロック解除機構７８およびシャッタ開放機構８０が組み込まれている。
【０００８】
シャッタ開放機構８０は、カートリッジの先端にあるスライド部材の突起（被操作部）の外側に当接する一対の操作片８１ａ，８１ｂと、両端側に右ねじ８２ａおよび左ねじ８２ｂがそれぞれ形成されたリードねじ８２を備える。リードねじ８２の右ねじ８２ａには操作片８１ａが螺合し、左ねじ８２ｂには操作片８１ｂが螺合している。リードねじ８２の一端には、駆動モータ８３の回転軸が固定されてリードねじ８２を時計方向または反時計方向に回転させるようになっている。
【０００９】
リードねじ８２が反時計方向に回転すると、操作片８１ａ，８１ｂは互いに接近する方向に移動してカートリッジの被操作部を押圧し、シャッタ１３を開き位置にスライドさせる。操作片８１ａ，８１ｂを一対設けたのは、カートリッジ２の反転挿入に対応するためである。
【００１０】
筐体９０の内部には、筐体９０内の明るさを検出する照度センサ９８が配備されており、この照度センサ９８は筐体内部が所定の暗室となったことを検出して、上記シャッタ開放機構８０を動作させる。
このように、本発明が対象とする記録再生装置１０にあっては、カートリッジの挿入口９１に開閉フタ９４を設けて、感光性記録媒体用カートリッジ２を侵入光から保護していた。しかしながら、開閉フタ９４を設けていても完全に遮光することは困難で、実際には光の何％かは開閉フタ９４の隙間から筐体内に侵入していた。
【００１１】
本発明は、上記事情に鑑みてなされたもので、その目的は、感光性記録媒体用カートリッジの側面から筐体内に侵入する光を完全に遮断する感光性記録媒体用記録再生装置を提供することにある。
【課題を解決するための手段】
【００１２】
上記目的を達成するため、請求項１記載の発明は、感光性記録媒体を回転自在に収容すると共に前記感光性記録媒体の中心と記録面とを外部に露呈させる開口を有するカートリッジ本体と前記カートリッジ本体の外側に取り付けられて前記開口を閉じる閉じ位置と前記開口を開放する開き位置との間で移動自在に配設されたシャッタとを有し挿入方向先端の横幅が先細に形成されて成る感光性記録媒体用カートリッジを内部に収容して記録再生するための装置であって、挿入可能な挿入口が形成された内部空間を有する筐体と、前記筐体に設けられ前記挿入口を外部から遮光する挿入口フタと、前記挿入口近傍に設けられ前記挿入口から挿入されたカートリッジを筐体内に案内するカートリッジガイドと、を有する記録再生装置において、前記カートリッジガイドが前記カートリッジガイドの両側面に接触する可動部材と前記可動部材を出没自在に収納する収納部材とから成るガイド部材を、２本、それぞれの可動部材を互いに内側に向けてカートリッジの挿入方向に沿わせ、前記可動部材間の間隔が前記先細カートリッジの前記先端の横幅間隔より広く、前記カートリッジの本来の横幅間隔より狭い範囲で配設して成ることを特徴としている。
請求項２記載の発明は、請求項１記載の感光性記録媒体用記録再生装置において、前記カートリッジガイドは前記カートリッジの挿入方向の長さ以上であることを特徴としている。
請求項３記載の発明は、請求項１記載の感光性記録媒体用記録再生装置において、前記カートリッジガイドは、前記カートリッジの挿入方向の長さ以下であり、かつその場合、筐体内の所定位置に収納されたカートリッジの両側面の少なくともその挿入方向後端部に接触する位置に配設されていることを特徴としている。
請求項４記載の発明は、請求項１記載の感光性記録媒体用記録再生装置において、前記カートリッジガイドは、筐体内の所定位置に収納されたカートリッジの両側面の少なくともその挿入方向後端部に接触した状態で、前記カートリッジが上又は下方向に移動することを許容する押圧力であることを特徴としている。
請求項５記載の発明は、請求項４記載の感光性記録媒体用記録再生装置において、前記カートリッジガイドの上下方向の長さが前記カートリッジが上又は下方向に移動する範囲をカバーするものであることを特徴としている。
【発明の効果】
【００１３】
上記構成により、可動部材間の間隔が前記先細カートリッジの前記先端の横幅間隔より広く、前記カートリッジの本来の横幅間隔より狭い範囲で配設して成るため、カートリッジの側面が常時可動部材に接触しており、その間に隙間ができないので、カートリッジの側面から侵入する光は全て遮断することができる。
【発明を実施するための最良の形態】
【００１４】
以下、本発明の実施形態を図面に基づいて詳しく説明する。
〈実施形態１〉
図１は本発明の実施形態１である記録再生装置を示す平面図で、（ａ）はカートリッジの正規の使用の場合で、（１）〜（３）は時間の経過を示し、（ｂ）はカートリッジの誤挿入の場合をそれぞれ示している。なお、（ｃ）は従来装置の場合である。
まず、従来装置の（ｃ）の場合、９０１は筐体の外側又は内部の壁面で、カートリッジ２が挿入される挿入口が設けられている。カートリッジ２が挿入口から挿入されるためには、挿入口の横幅はカートリッジ２の横幅よりも当然大きめに形成されている。そうすると、カートリッジ２の挿入時においては、挿入口の横幅とカートリッジ２の横幅と間にできる隙間から、侵入光Ｌが入ってくることになる。
【００１５】
これに対して、本発明の場合、（ａ）において、９０１は筐体の外側又は内部の壁面で、カートリッジ２が挿入される挿入口が設けられている。カートリッジ２が挿入口から挿入されるためには、挿入口の横幅はカートリッジ２の横幅よりも当然大きめに形成されているが、本発明では、挿入口に挿入されたカートリッジを筐体内に案内するカートリッジガイドに次のような工夫を加えて、侵入光を防いでいる。このカートリッジガイドは可動部材９３０とこの可動部材９３０を出没自在に収納する収納部材９２０とから成るガイド部材９１０を、２本、それぞれの可動部材９３０を互いに内側に向けて配設したものである。
本発明が対象としているカートリッジ２はその平面図で見た形状が、挿入方向先端の両端部にて斜めにテーパ２Ｔが形成されている先細の形状をしているのが特徴である。
そこで、可動部材９３０、９３０間の間隔が先細カートリッジ２の先端両端部の横幅間隔より広く、カートリッジの本来の横幅間隔より狭い範囲にくるように配設されている。言い換えれば、可動部材９３０、９３０の間隔は、各可動部材９３０、９３０の手前の角がそれぞれテーパ２Ｔに当接するような幅となっている。
【００１６】
したがって、このようなガイド部材９１０が２本奥に配設されている挿入口にカートリッジ２を挿入すると、（１）のように、まず、カートリッジ２の斜めテーパ２Ｔの部分が可動部材９３０、９３０に接触する。
【００１７】
そして、さらにカートリッジ２の挿入を続けると、可動部材９３０はカートリッジ２の斜めテーパ部２Ｔに押圧されて、収納部材９２０の中に没入するので、カートリッジ２は挿入口から内部に入ることが可能となる。（２）はこの状態を示している。
【００１８】
さらに、カートリッジ２の挿入が続くと、最終的にはカートリッジ２は筐体の所定位置に到達して、停止することとなる。その最終状態を（３）は示している。（３）によれば、カートリッジ２はその両側面が可動部材９３０、９３０に接触した状態で停止しているので、従来装置（ｃ）で見られたような侵入光Ｌの侵入がなくなる。すなわち、カートリッジ２の挿入時にも、挿入後にも、カートリッジ２の側面と挿入口との間には隙間が一切生じないので、この間を通過する侵入光Ｌはなくなる（もっとも、カートリッジ２の上下面と挿入口との間には隙間が生じているが、それは別の解決策（上側から下に向けて、また、下側から上に向けてそれぞれ可撓性接触部材（ゴム）を敷設しておくことで解決する等）に委ねられるべき問題であって、カートリッジの側面と挿入口との間の隙間をいかになくするかという本発明の関心事ではない。）。
なお、このガイド部材９１０が設けられる挿入口は、筐体外部の挿入口であってもよいし、筐体内部に設けられた二重壁の挿入口であってもよい。この場合、挿入口に本来の挿入口フタが設けられていてもよいし、別のタイプの挿入口フタ（挿入口の手前側に置かれるフタ等）でもよい。
【００１９】
図２および図３は、以上説明した本発明による可動部材９３０が収納部材９２０内に出没自在に収納されて成るガイド部材９１０の１例を示すものであるが、もちろん、本発明はこれに限定されるものではない。
図２の（１）において、ガイド部材９１０は図の左右にそれぞれ１本ずつ配置され、各ガイド部材９１０は収納部材９２０とこの収納部材９２０の中に出没自在に収納される可動部材９３０とで構成される。両可動部材９３０の間隔は挿入されるカートリッジ２の先端テーパ部２Ｔにそれぞれが接触するような間隔としてある。それ以下ではカートリッジ２は挿入できなくなり、それ以上では本発明の遮光効果が得られなくなる。
【００２０】
収納部材９２０は、両端の端部延設フイン９２１、９２２と、これらの端部延設フイン９２１、９２２間に設けられる内部延設フイン９２３、９２４と、これらの内部延設フイン９２３、９２４との間に収納される押圧スプリング９４０とで構成される。
【００２１】
一方、可動部材９３０は、両端の端部延設フイン９３１、９３２と、これらの端部延設フイン９３１、９３２間に設けられる内部延設フイン９３３、９３４と、これらの内部延設フイン９３３、９３４との間で押圧スプリング９４０の先端部を収納している。
【００２２】
端部延設フイン９３１は端部延設フイン９２１と内部延設フイン９２３との間に介在し、また端部延設フイン９３４は端部延設フイン９２２と内部延設フイン９２４との間に介在しており、かつ、端部延設フイン９２１の先端は内側に曲折する曲折部９２１ａと、端部延設フイン９３１の先端は外側に曲折する曲折部９３１ａとを有し、互いの曲折部９２１ａと９３１ａは係合している。もう一方の端部延設フイン９２４と端部延設フイン９３４の側も同様で、互いの曲折部９２２ａと９３２ａは係合している。
可動部材９３０は押圧スプリング９４０により常時収納部材９２０から離れる方向に付勢されているが、互いの曲折部９２１ａと９３１ａ、曲折部９２２ａと９３２ａの係合により、可動部材９３０は収納部材９２０から外れない。
また、可動部材９３０が押さえられると押圧スプリング９４０の押圧力に逆らって収納部材９２０の中に後退（没入）する。
【００２３】
図２の（１）に戻って、このようなガイド部材９１０が２本奥に配設されている挿入口にカートリッジ２を挿入すると、まず、カートリッジ２の斜めテーパ２Ｔの部分が可動部材９３０、９３０に接触する。
【００２４】
さらに、カートリッジ２の挿入を続けると、可動部材９３０はカートリッジ２の斜めテーパ部２Ｔに押圧されて、収納部材９２０の中に没入するので、カートリッジ２は挿入口から内部に入ることが可能となる。（２）はこの状態を示している。
【００２５】
さらに、カートリッジ２の挿入が続くと、最終的にはカートリッジ２は筐体の所定位置に到達して、停止することとなる。その最終状態を図３（３）は示している。（３）によれば、カートリッジ２はその両側面が可動部材９３０、９３０に接触した状態で停止しているので、側面からカートリッジ２内に侵入する侵入光はなくなる。
【００２６】
所定位置に到達して停止したカートリッジ２は、次の記録・再生動作をするため、下方に設置されているスピンドルモータ（図示せず）に向かってこのままの姿勢を保った状態で下に下降する。この場合でも、本発明に係る可動部材９３０はカートリッジ２の下降ストローク分をカバーする上下方向の長さを備えているので、図３（４）のように、カートリッジが下降して停止した状態でも、依然としてカートリッジ２はその両側面が可動部材９３０、９３０に接触した状態を保っているので、側面からカートリッジ２内に侵入する侵入光はない。
【００２７】
なお、カートリッジ２の先端と後端を逆にして誤って挿入しようとすると、図４のように、カートリッジ２が本発明による可動部材９３０、９３０に接触するが、テーパ２Ｔが形成されていない部分であるので、可動部材９３０、９３０を収納部材９２０、９２０の中に没入させる力が作用しないため、挿入できない。
【００２８】
〈実施形態２〉
以上の実施形態１のガイド部材９１０は挿入方向の長さがカートリッジ２の挿入方向長さ以上としたが、外から挿入口に侵入する光を遮光するには、カートリッジ２の挿入方向長さ以上とする必要はなく、挿入口近傍だけでもよい。実施形態２はこのようなコンセプトに基づき、ガイド部材９１０を短くして、材料およびスペースの節約を計るものである。
図５は実施形態２に係るガイド部材を示しており、（１）は挿入前、（２）は挿入完了後を示している。
実施形態１のガイド部材９１０は実施形態１のガイド部材と長さが異なるだけで、その構成および動作は全く同じであるので、重複説明は省略する。
カートリッジ２はその両側面が可動部材９３０、９３０に接触した状態で停止しているので、挿入口の側面からカートリッジ２内に侵入する侵入光はなくなる。
【００２９】
〈本発明が扱うカートリッジ〉
ここで、本発明が扱う遮光性を考慮したカートリッジの構造について説明する。
図６〜図８はホログラム記録媒体用カートリッジの外観形状を示す斜視図であり、図６はカートリッジの一方の面を上方にした状態を示す斜視図、図７は反対側の面を上方にした状態を示す斜視図、図８はシャッタが開き位置にあり、ディスク収容部に円板形状のホログラム記録媒体（以下、記録ディスクと称する）が回転自在に収容された状態を示す斜視図である。
【００３０】
図６〜図８に示すように、カートリッジ２は、このカートリッジを取り扱うホログラム記録装置等の記録再生装置１０に対し、矢印Ｃ方向から装填される。カートリッジ２の挿入方向先端の両側面には、挿入方向先端の両端部にて斜めにテーパが形成されて先細の形状をしているのが判る。そして、カートリッジ２がホログラム記録装置等の記録再生装置１０に装填された際に、記録再生装置１０に設けられた位置決め部材が挿入される位置決め溝７（図６）,８（図７）が設けられている。
【００３１】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にして記録再生装置（ホログラム記録装置）１０にセットされる。
【００３２】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００３３】
図８に示すように、シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。
【００３４】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ挿入方向の後端側にスライドさせる。このように、シャッタ１３は、２段階の操作を行なわなければ解除されないロック機構によって閉じ位置でロックされているため、シャッタ１３が不用意に開放されることはない。
【００３５】
図９は、カートリッジの構成を示す分解斜視図である。
図９に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００３６】
第１シェル２５と第２シェル２６は、例えば、遮光性物質と滑剤とが添加された同一または類似の熱可塑性プラスチックを用いて、射出成形により形成されている。第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００３７】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００３８】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３９】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００４０】
上記構成により遮光性の保たれたカートリッジが記録再生装置の挿入口に挿入されると、可動部材がカートリッジ先端テーパ部に接触し、これ以降、カートリッジの側面が可動部材に接触し続けるので、カートリッジの側面から侵入する光は全て遮断することができる。
【図面の簡単な説明】
【００４１】
【図１】本発明の実施形態１である記録再生装置を示す平面図で、（ａ）はカートリッジの正規の使用の場合で、（１）〜（３）は時間の経過を示し、（ｂ）はカートリッジの誤挿入の場合をそれぞれ示し、（ｃ）は従来装置の場合である。
【図２】ガイド部材の１例を示す斜視図で、（１）〜（２）は時間の経過を示している。
【図３】図２に続く時間の経過（３）〜（４）を示している。
【図４】本発明の副効果であるカートリッジの誤挿入を防止する理由を説明する斜視図である。
【図５】本発明の実施形態２に係るガイド部材を示しており、（１）は挿入前、（２）は挿入完了後を示している。
【図６】カートリッジの外観形状を示す外観斜視図である。
【図７】カートリッジの反対側の面を示す外観斜視図である。
【図８】カートリッジのシャッタ開放状態を示す外観斜視図である。
【図９】カートリッジの構成を示す分解斜視図である。
【図１０】本発明が対象とする記録再生装置の構成を示す斜視図である。
【図１１】記録再生装置の内部の概略構成図である。
【符号の説明】
【００４２】
２  カートリッジ（感光性記録媒体用カートリッジ）
２Ｔ  先端テーパ
４  記録ディスク（感光性記録媒体、ホログラム記録媒体）
４ａ  感光性記録媒体の中心
４ｂ  感光性記録媒体の記録面
１０  記録再生装置
１１  カートリッジ本体
１３  シャッタ
１８  内部開口（開口）
１９  内部開口（開口）
２７  ロック機構
６３  第１のロック部材
６４  第２のロック部材
７７ａ  位置決め部材（第２の解除部材）
７７ｂ  位置決め部材（第２の解除部材）
７８  ロック解除機構
７９ａ  係合ピン（第１の解除部材）
７９ｂ  係合ピン（第１の解除部材）
８０  シャッタ開放機構
９０  筐体
９１  挿入口
９４  挿入口シャッタ
９８  照度センサ
９０１  筐体の壁面
９１０  ガイド部材
９２０  収納部材
９２１、９２２  端部延設フイン
９２３、９２４  内部延設フイン
９３０  可動部材
９３１、９３２  端部延設フイン
９３３、９３４  内部延設フイン
９４０  押圧スプリング
【図１】
2007102874.tif 000003
【図２】
2007102874.tif 000004
【図３】
2007102874.tif 000005
【図４】
2007102874.tif 000006
【図５】
2007102874.tif 000007
【図６】
2007102874.tif 000008
【図７】
2007102874.tif 000009
【図８】
2007102874.tif 000010
【図９】
2007102874.tif 000011
【図１０】
2007102874.tif 000012
【図１１】
2007102874.tif 000013